(57)【要約】【課題】簡易な作業によって昇降路ピット部材を容易に所定位置に据付けることができるエレベーター昇降路のピット部負荷支持装置を得る。【解決手段】基準位置に吊下した下げ振り線５に対して案内レールを連結したかご側緩衝器台３を所定位置に設け、かご側緩衝器台３の下側に一端を配置して案内レールを連結したつり合おもり側緩衝器台６を所定位置に設け、つり合おもり側緩衝器台６の下側に一端を配置して巻上機台９を所定位置に設ける。これによって、つり合おもり側緩衝器台６に対する下げ振り線５の吊下作業を省き、また昇降路底面２に上向き負荷支持のための加工が不要となり、簡易な作業によって昇降路底面２にかご側緩衝器台３等のピット部材を容易に所定位置に据付けできて据付費を低減する。【選択図】　　　　図１
2004010329.tif 000002
【特許請求の範囲】
【請求項１】
エレベーターの昇降路の上方から基準位置に吊下された下げ振り線に対して上記昇降路底面の所定位置に設置されて、上記エレベーターのかご用案内レールの下端が連結されたかご側緩衝器台と、長手が上記かご側緩衝器台の長手に交差して配置され長手の一端寄りに設けられた嵌合部の上側に上記かご側緩衝器台の長手端部が嵌合されて、上記かご側緩衝器台に対して上記昇降路底面の所定位置に設置され、上記エレベーターのつり合おもり用案内レールの下端が連結されたつり合おもり側緩衝器台と、このつり合おもり側緩衝器台の長手の他端寄りに設けられた嵌合部の下部側に一端が嵌合されて、上記つり合おもり側緩衝器台に対して上記昇降路底面の所定位置に設置され、上記エレベーターの巻上機が装着された巻上機台とを備えたエレベーター昇降路のピット部負荷支持装置。
【請求項２】
つり合おもり側緩衝器台に設けられた指標を介して所定位置に装着された取付金具と、昇降路の上方から吊下されて下端が上記取付金具に連結され、基準位置に張設された基準標示線とを備えたことを特徴とする請求項１記載のエレベーター昇降路のピット部負荷支持装置。
【請求項３】
かご側緩衝器台の所定位置に締結され、両側のかご案内レールに対してそれぞれ吊下された下げ振り線に対し、一体に形成されて両端部にそれぞれ上記下げ振り線の下端が連結された連結金具を備えたことを特徴とする請求項１記載のエレベーター昇降路のピット部負荷支持装置。
【請求項４】
つり合おもり側緩衝器台の所定位置に締結され、両側のつり合おもり案内レールに対してそれぞれ吊下された基準標示線に対し、一体に形成されて両端部にそれぞれ上記基準標示線の下端が連結された連結金具を備えたことを特徴とする請求項２記載のエレベーター昇降路のピット部負荷支持装置。
【発明の詳細な説明】
【０００１】
【発明の属する技術分野】
この発明は、かご用案内レールの端部が連結されたかご側緩衝器台等であって、昇降路底面の所定位置に設置されてエレベーターの主索に作用する負荷を支持するエレベーター昇降路のピット部負荷支持装置に関する。
【０００２】
【従来の技術】
エレベーターの構造形式として昇降路のピットに各種部材が設置される形態がある。すなわちピットの底面の所定位置に、かご案内レールの下端が連結されるかご側緩衝器台、巻上機が設置される機械台及びつり合おもり案内レールの下端が連結されるつり合おもり側緩衝器台がそれぞれ設置される。そして、巻上機の駆動綱車に巻掛けられて上方へ張設されたエレベーターの主索に関わる負荷を機械台等のピット部材によって支持するようになっている。
【０００３】
これらのピット部材は従来、昇降路の上方から基準位置に吊下された下げ振り線に対してかご側緩衝器台を所定位置に設置する作業が行われ、また昇降路の上方から他の基準位置に吊下された他の下げ振り線に対してつり合おもり側緩衝器台を所定位置に設置する作業が行われていた。
【０００４】
【発明が解決しようとする課題】
上記のような従来のエレベーター昇降路のピット部負荷支持装置では、かご側緩衝器台及びつり合おもり側緩衝器台の両者それぞれに対して、昇降路の上方から上記両者のそれぞれの基準位置に下げ振り線を吊下する作業が行われる。そして、上記両者を対応した下げ振り線に対する所定位置に設置する作用が行われる。このため、昇降路ピット部材の据付に煩雑な手数が掛かって据付費が嵩むという問題点があった。
【０００５】
この発明は、かかる問題点を解消するためになされたものであり、簡易な作業によって昇降路ピット部材を容易に所定位置に据付けることができるエレベーター昇降路のピット部負荷支持装置を得ることを目的とする。
【０００６】
【課題を解決するための手段】
この発明に係るエレベーター昇降路のピット部負荷支持装置においては、エレベーターの昇降路の上方から基準位置に吊下された下げ振り線に対して昇降路底面の所定位置に設置されて、エレベーターのかご用案内レールの下端が連結されたかご側緩衝器台と、長手がかご側緩衝器台の長手に交差して配置され長手の一端寄りに設けられた嵌合部の上側にかご側緩衝器台の長手端部が嵌合されて、かご側緩衝器台に対して昇降路底面の所定位置に設置され、エレベーターのつり合おもり用案内レールの下端が連結されたつり合おもり側緩衝器台と、このつり合おもり側緩衝器台の長手の他端寄りに設けられた嵌合部の下部側に一端が嵌合されて、つり合おもり側緩衝器台に対して昇降路底面の所定位置に設置され、エレベーターの巻上機が装着された巻上機台とが設けられる。
【０００７】
また、この発明に係るエレベーター昇降路ピット部材の据付工法においては、つり合おもり側緩衝器台に設けられた指標を介して所定位置に装着された取付金具と、昇降路の上方から吊下されて下端が取付金具に連結され、基準位置に張設された基準標示線とが設けられる。
【０００８】
また、この発明に係るエレベーター昇降路ピット部材の据付工法においては、かご側緩衝器台の所定位置に締結され、両側のかご案内レールに対してそれぞれ吊下された下げ振り線に対し、一体に形成されて両端部にそれぞれ下げ振り線の下端が連結された連結金具が設けられる。
【０００９】
また、この発明に係るエレベーター昇降路ピット部材の据付工法においては、つり合おもり側緩衝器台の所定位置に締結され、両側のつり合おもり案内レールに対してそれぞれ吊下された基準標示線に対し、一体に形成されて両端部にそれぞれ基準標示線の下端が連結された連結金具が設けられる。
【００１０】
【発明の実施の形態】
実施の形態１．
図１は、この発明の実施の形態の一例を示す図で、昇降路下部を概念的に示す斜視図である。図において、１はエレベーターの昇降路、２は昇降路１のピットを形成する底面、３は底面２に設けられたかご側緩衝器台で、長手の両端部にエレベーターのかご（図示しない）の昇降を案内するかご案内レール４の下端が連結されている。
【００１１】
５は昇降路１の上方からかご案内レール４に沿って張設されて基準位置に吊下された下げ振り線、６は底面２に設けられたつり合おもり側緩衝器台で、長手がかご側緩衝器台３の長手に交差して配置され、長手の一端寄りに設けられて上面から凹設された上側の嵌合部７の上に、かご側緩衝器台３の長手端部が嵌合されてかご側緩衝器台３に対して昇降路１底面２の所定位置に設置され、エレベーターのつり合おもり用案内レール８の下端が連結されている。
【００１２】
９は底面２に設けられた巻上機台で、つり合おもり側緩衝器台６の長手の他端寄りに設けられて下面から凹設された下側の嵌合部１０に、一端に形成された嵌合凸部１１が嵌合されて、つり合おもり側緩衝器台６に対して昇降路１底面２の所定位置に設置されている。１２は巻上機台９に装着されたエレベーターの巻上機で、つり合おもり側緩衝器台６寄りに駆動綱車１３が設けられている。
【００１３】
１４は駆動綱車１３に巻掛けられて上方に張設されたエレベーターの主索、１５はつり合おもり側緩衝器台６に設けられた指標で、つり合おもり用案内レール８それぞれの下端位置に対応した所定位置に標示されている。１６は指標１５を介してつり合おもり側緩衝器台６に締結された取付金具、１７はピアノ線からなる基準標示線で、昇降路１の上方の所定位置からつり合おもり案内レール８に沿ってそれぞれ張設されて下端が取付金具１６の連結孔に連結されて昇降路１の所定位置に張設される。
【００１４】
上記のように構成されたエレベーター昇降路のピット部負荷支持装置において、昇降路１の上方から下げ振り線５が基準位置に吊下され、この下げ振り線５に対する所定位置にかご側緩衝器台３が配置されて昇降路１底面２の所定位置に設置される。そして、つり合おもり側緩衝器台６が底面２に配置されて、上側の嵌合部７にかご側緩衝器台３の長手端部が嵌合されることによって、つり合おもり側緩衝器台６が昇降路１底面２の所定位置に設置される。
【００１５】
そして、巻上機台９が底面２に配置されて嵌合凸部１１が、つり合おもり側緩衝器台６の下側の嵌合部１０に嵌合されることによって、巻上機台９が昇降路１底面２の所定位置に設置される。次いで、巻上機台９の上に巻上機１２が据付けられて、主索１４が駆動綱車１３に巻掛けられて上方へ張設される。また、指標１５を介して取付金具１６がつり合おもり側緩衝器台６に対する所定位置に締結される。
【００１６】
次いで、基準標示線１７が昇降路１上方の所定位置と取付金具１６の連結孔の間に張設される。そして、張設された基準標示線１７を介して昇降路１壁に装着されるつり合おもり用案内レール８のブラケット等の部材（図示しない）が所定位置に取付けられる。また、かご案内レール４がかご側緩衝器台３から立設され、つり合おもり用案内レール８がつり合おもり側緩衝器台６から立設される。
【００１７】
以上説明したように、昇降路１の上方から基準位置に吊下された下げ振り線５に対してかご側緩衝器台３が昇降路１底面２の所定位置に設置され、設置されたかご側緩衝器台３に対して上側の嵌合部７を介してつり合おもり側緩衝器台６が昇降路１底面２の所定位置に設置される。そして、設置されたつり合おもり側緩衝器台６に対して下側の嵌合部１０、嵌合凸部１１を介して巻上機台９が昇降路１底面２の所定位置に設置される。
【００１８】
これによって、つり合おもり側緩衝器台６に対して、昇降路１上方の基準位置から下げ振り線５を吊下する作業を省くことができる。したがって、簡易な作業によって昇降路１底面２にかご側緩衝器台３、つり合おもり側緩衝器台６及び巻上機台９からなるピット部材を容易に所定位置に据付けることができ、据付費を低減することができる。
【００１９】
また、かご側緩衝器台３にかご案内レール４による下向き負荷Ｒ１が作用し、つり合おもり側緩衝器台６につり合おもり用案内レール８による下向き負荷Ｒ２が作用する。そして、巻上機台９には主索１４によって駆動綱車１３、巻上機１２を介して上向き負荷Ｆ１が作用するが、巻上機台９の嵌合凸部１１がつり合おもり側緩衝器台６の下部側に嵌合され、つり合おもり側緩衝器台６の上側にかご側緩衝器台３の端部が嵌合されている。
【００２０】
したがって、巻上機台９の上向き負荷Ｆ１がかご側緩衝器台３の下向き負荷Ｒ１及びつり合おもり側緩衝器台６の下向き負荷Ｒ２によって支持される。このため、巻上機台９の上向き負荷Ｆ１を支持するための昇降路１底面２に対する加工が不要であるので、据付工期を短縮でき据付費を低減することができる。
【００２１】
また、つり合おもり側緩衝器台６に指標１５が設けられて、この指標１５を介して取付金具１６が所定位置に締結される。このため、基準標示線１７を昇降路１上方の所定位置と取付金具１６の間に簡単な作業によって、所定位置に容易に張設することができ据付費を低減することができる。
【００２２】
実施の形態２．
図２は、この発明の他の実施の形態の一例を示す図で、昇降路下部を概念的に示す斜視図である。図において、前述の図１と同符号は相当部分を示し、１８は連結金具で、かご側緩衝器台３の所定位置に締結され、かご案内レール４に対してそれぞれ吊下された下げ振り線５に対し、一体に形成されて両端部にそれぞれ下げ振り線５が連結される。
【００２３】
そして、連結金具１８が締結されたかご側緩衝器台３が下げ振り線５に対して昇降路１底面２の所定位置に設置されて、連結金具１８に下げ振り線５の下端が連結される。１９は取付金具で、つり合おもり側緩衝器台６の所定位置に締結され、つり合おもり案内レール８に対してそれぞれ張設された基準標示線１７に対し、一体に形成されて両端部にそれぞれ基準標示線１７が連結される。
【００２４】
上記のように構成されたエレベーター昇降路のピット部負荷支持装置においても、昇降路１の基準位置に吊下された下げ振り線５に対してかご側緩衝器台３が昇降路１底面２の所定位置に設置され、設置されたかご側緩衝器台３に対して上側の嵌合部７を介してつり合おもり側緩衝器台６が昇降路１底面２の所定位置に設置される。そして、設置されたつり合おもり側緩衝器台６に対して下側の嵌合部１０、嵌合凸部１１を介して巻上機台９が昇降路１底面２の所定位置に設置される。
【００２５】
したがって、詳細な説明を省略するが図２の実施の形態においても図１の実施の形態と同様な作用が得られる。また、両側の下げ振り線５に対して一体に形成されて両端部にそれぞれ下げ振り線５が連結される連結金具１８が設けられるので、両側の下げ振り線５に対して一作業によって連結金具１８を位置決めすることができる。
【００２６】
また、両側の基準標示線１７に対して一体に形成されて両端部にそれぞれ基準標示線１７が連結される取付金具１９が設けられるので、両側の基準標示線１７に対して一作業によって取付金具１９を位置決めすることができる。このため、簡易な作業によって昇降路１底面２にかご側緩衝器台３等のピット部材を容易に所定位置に据付けることができ、また容易に下げ振り線５、基準標示線１７を張設することができて据付費を低減することができる。
【００２７】
【発明の効果】
この発明は以上説明したように、エレベーターの昇降路の上方から基準位置に吊下された下げ振り線に対して昇降路底面の所定位置に設置されて、エレベーターのかご用案内レールの下端が連結されたかご側緩衝器台と、長手がかご側緩衝器台の長手に交差して配置され長手の一端寄りに設けられた嵌合部の上側にかご側緩衝器台の長手端部が嵌合されて、かご側緩衝器台に対して昇降路底面の所定位置に設置され、エレベーターのつり合おもり用案内レールの下端が連結されたつり合おもり側緩衝器台と、このつり合おもり側緩衝器台の長手の他端寄りに設けられた嵌合部の下部側に一端が嵌合されて、つり合おもり側緩衝器台に対して昇降路底面の所定位置に設置され、エレベーターの巻上機が装着された巻上機台とを設けたものである。
【００２８】
これによって、昇降路の基準位置に吊下された下げ振り線に対してかご側緩衝器台を昇降路底面の所定位置に設置し、設置したかご側緩衝器台に対して上側の嵌合部を介してつり合おもり側緩衝器台を昇降路底面の所定位置に設置し、また設置したつり合おもり側緩衝器台に対して下側の嵌合部と巻上機台の嵌合凸部を介して巻上機台を昇降路底面の所定位置に設置することができる。これによって、つり合おもり側緩衝器台に対して、昇降路上方から下げ振り線を吊下する作業を省くことができ、簡易な作業によって昇降路底面にかご側緩衝器台等のピット部材を容易に所定位置に据付けることができて据付費を低減する効果がある。
また、巻上機台の嵌合凸部がつり合おもり側緩衝器台の下部側に嵌合され、つり合おもり側緩衝器台の上側にかご側緩衝器台の端部が嵌合される。これによって、巻上機台の上向き負荷がかご側緩衝器台の下向き負荷及びつり合おもり側緩衝器台の下向き負荷によって支持される。このため、巻上機台の上向き負荷を支持するための昇降路に対する加工が不要であり据付工期を短縮でき据付費を低減する効果がある。
【００２９】
また、この発明は以上説明したように、つり合おもり側緩衝器台に設けられた指標を介して所定位置に装着された取付金具と、昇降路の上方から吊下されて下端が取付金具に連結され、基準位置に張設された基準標示線とを設けたものである。
【００３０】
これによって、昇降路の基準位置に吊下された下げ振り線に対してかご側緩衝器台を昇降路底面の所定位置に設置し、設置したかご側緩衝器台に対して上側の嵌合部を介してつり合おもり側緩衝器台を昇降路底面の所定位置に設置し、また設置したつり合おもり側緩衝器台に対して下側の嵌合部と巻上機台の嵌合凸部を介して巻上機台を昇降路底面の所定位置に設置することができる。これによって、つり合おもり側緩衝器台に対して、昇降路上方から下げ振り線を吊下する作業を省くことができ、簡易な作業によって昇降路底面にかご側緩衝器台等のピット部材を容易に所定位置に据付けることができて据付費を低減する効果がある。
また、巻上機台の嵌合凸部がつり合おもり側緩衝器台の下部側に嵌合され、つり合おもり側緩衝器台の上側にかご側緩衝器台の端部が嵌合される。これによって、巻上機台の上向き負荷がかご側緩衝器台の下向き負荷及びつり合おもり側緩衝器台の下向き負荷によって支持される。このため、巻上機台の上向き負荷を支持するための昇降路に対する加工が不要であり据付工期を短縮でき据付費を低減する効果がある。
また、つり合おもり側緩衝器台に指標が設けられて、この指標を介して取付金具が所定位置に締結される。このため、基準標示線を昇降路の上方と取付金具の間に簡単な作業によって所定位置に容易に張設することができ、据付費を低減する効果がある。
【００３１】
また、この発明は以上説明したように、かご側緩衝器台の所定位置に締結され、両側のかご案内レールに対してそれぞれ吊下された下げ振り線に対し、一体に形成されて両端部にそれぞれ下げ振り線の下端が連結された連結金具を設けたものである。
【００３２】
これによって、昇降路の基準位置に吊下された下げ振り線に対してかご側緩衝器台を昇降路底面の所定位置に設置し、設置したかご側緩衝器台に対して上側の嵌合部を介してつり合おもり側緩衝器台を昇降路底面の所定位置に設置し、また設置したつり合おもり側緩衝器台に対して下側の嵌合部と巻上機台の嵌合凸部を介して巻上機台を昇降路底面の所定位置に設置することができる。これによって、つり合おもり側緩衝器台に対して、昇降路上方から下げ振り線を吊下する作業を省くことができ、簡易な作業によって昇降路底面にかご側緩衝器台等のピット部材を容易に所定位置に据付けることができて据付費を低減する効果がある。
また、巻上機台の嵌合凸部がつり合おもり側緩衝器台の下部側に嵌合され、つり合おもり側緩衝器台の上側にかご側緩衝器台の端部が嵌合される。これによって、巻上機台の上向き負荷がかご側緩衝器台の下向き負荷及びつり合おもり側緩衝器台の下向き負荷によって支持される。このため、巻上機台の上向き負荷を支持するための昇降路に対する加工が不要であり据付工期を短縮でき据付費を低減する効果がある。
また、両側の下げ振り線に対して一体に形成されて両端部にそれぞれ下げ振り線が連結される連結金具が設けられるので、両側の下げ振り線に対して一作業によって連結金具を位置決めすることができ、簡易な作業によって昇降路底面にかご側緩衝器台を容易に所定位置に据付けることができ、また容易に下げ振り線を張設することができて据付費を低減する効果がある。
【００３３】
また、この発明は以上説明したように、つり合おもり側緩衝器台の所定位置に締結され、両側のつり合おもり案内レールに対してそれぞれ吊下された基準標示線に対し、一体に形成されて両端部にそれぞれ基準標示線の下端が連結された取付金具を設けたものである。
【００３４】
これによって、昇降路の基準位置に吊下された下げ振り線に対してかご側緩衝器台を昇降路底面の所定位置に設置し、設置したかご側緩衝器台に対して上側の嵌合部を介してつり合おもり側緩衝器台を昇降路底面の所定位置に設置し、また設置したつり合おもり側緩衝器台に対して下側の嵌合部と巻上機台の嵌合凸部を介して巻上機台を昇降路底面の所定位置に設置することができる。これによって、つり合おもり側緩衝器台に対して、昇降路上方から下げ振り線を吊下する作業を省くことができ、簡易な作業によって昇降路底面にかご側緩衝器台等のピット部材を容易に所定位置に据付けることができて据付費を低減する効果がある。
また、巻上機台の嵌合凸部がつり合おもり側緩衝器台の下部側に嵌合され、つり合おもり側緩衝器台の上側にかご側緩衝器台の端部が嵌合される。これによって、巻上機台の上向き負荷がかご側緩衝器台の下向き負荷及びつり合おもり側緩衝器台の下向き負荷によって支持される。このため、巻上機台の上向き負荷を支持するための昇降路に対する加工が不要であり据付工期を短縮でき据付費を低減する効果がある。
また、両側の基準標示線に対して一体に形成されて両端部にそれぞれ基準標示線が連結される取付金具が設けられるので、両側の基準標示線に対して一作業によって取付金具を位置決めすることができ、簡易な作業によって昇降路底面につり合おもり側緩衝器台を容易に所定位置に据付けることができ、また容易に基準標示線を張設することができて据付費を低減する効果がある。
【図面の簡単な説明】
【図１】この発明の実施の形態１を示す図で、昇降路下部を概念的に示す斜視図。
【図２】この発明の実施の形態２を示す図で、昇降路下部を概念的に示す斜視図。
【符号の説明】
１　昇降路、　　２　底面、　　３　かご側緩衝器台、　　４　かご用案内レール、　　５　下げ振り線、　　６　つり合おもり側緩衝器台、　　７　嵌合部、　　８　つり合おもり用案内レール、　　９　巻上機台、　　１０　嵌合部、１２　巻上機、　　１５　指標、　　１６　取付金具、　　１７　基準標示線、　　１８　連結金具、　　１９　取付金具。
【図１】
2004010329.tif 000003
【図２】
2004010329.tif 000004